(57)【特許請求の範囲】
【請求項１】
浴室内の洗い場と浴槽に隣接して壁際に設けられるカウンターにおいて、このカウンター上面の浴槽側及び壁側の側縁に沿って凸条が設けられるとともに浴槽側の凸条とカウンター上面との間には排水溝が設けられ、このカウンター上面の水栓が設けられる部分の周囲から洗い場側が３ｍｍから１０ｍｍの範囲で一段低くなされていることを特徴とする浴室。
【請求項２】
上記凸条の上部の壁側にコーキング代が設けられ、該コーキング代にコーキングが施されていることを特徴とする請求項１記載の浴室。
【発明の詳細な説明】
【０００１】
【発明の属する技術分野】
本発明は、カウンターを有する浴室に関する。
【０００２】
【従来の技術】
従来、洗い場と浴槽に隣接して壁際にカウンターが設けられた浴室が知られている。そして、このカウンターの上面は水平面になされ、浴槽の上縁とは略面一になされているのが一般的であった。
このカウンターの上面に水栓を設けたり、石けんなどを置いて、身体を洗ったりすると、石けん液や汚れ水が浴槽内や壁とカウンターとの隙間に流れ込んでしまうことがあった。このため、浴槽の湯水が汚れたり、壁とカウンターとの隙間やカウンターの下にかび等がはえ、不衛生になることがあった。
【０００３】
そこで、実用新案登録第２５５８９０３号公報には、カウンターの周縁の浴槽側及び壁側を高くして、石けんなどを置くカウンター上面を低くした浴室が提案されている。
【０００４】
【発明が解決しようとする課題】
しかしながら、上記実用新案登録第２５５８９０３号公報の浴室においても、カウンター上面に水栓を設け、洗い場で洗髪をする場合などには、なお、汚れ水などが浴槽内や壁とカウンターとの隙間に流れ込んでしまう恐れがあった。
【０００５】
本発明は、上記従来技術の問題を解決するためになされたものであって、浴槽内や壁とカウンターとの隙間に汚れ水などが流れ込まない衛生的な浴室を提供することを目的とする。
【０００６】
【課題を解決するための手段】
請求項１記載の発明は、浴室内の洗い場と浴槽に隣接して壁際に設けられるカウンターにおいて、このカウンター上面の浴槽側及び壁側の側縁に沿って凸条が設けられるとともに浴槽側の凸条とカウンター上面との間には排水溝が設けられ、このカウンター上面の水栓が設けられる部分の周囲から洗い場側が３ｍｍから１０ｍｍの範囲で一段低くなされていることを特徴とする浴室である。
【０００７】
請求項２記載の発明は、上記凸条の上部の壁側にコーキング代が設けられ、該コーキング代にコーキングが施されていることを特徴とする請求項１記載の浴室である。
【０００８】
上記本発明において、カウンターの上面の水栓が設けられる部分の周囲から洗い場側が一段低くなされているとは、水栓が設けられる部分は石けんの付いた手で水栓をひねったりして汚れ水等が落ち易いので一段低くして汚れ水等がそれ以上は上がらないようにして洗い場側に排出するものであり、水栓の周囲から、洗い場の水栓使用者が手を伸ばし易い範囲を一段低くするのが好ましい。
また、一段低くなされる段差としては、３ｍｍから１０ｍｍの範囲が好ましい。低すぎると汚れ水等が乗り越え易く、高すぎると石けん容器などを置く場合に倒れたりして不便である。
【０００９】
（作用）
請求項１記載の浴室は、カウンター上面の浴槽側及び壁側の側縁に沿って凸条が設けら
れ、このカウンター上面の水栓が設けられる部分の周囲から洗い場側が一段低くなされているから、汚れ水等の発生頻度が高く量も多い水栓周囲の汚れ水等が、カウンター上面の浴槽側や壁側に上がらずに返されて洗い場側に排出され、万一汚れ水等がそこまで達したとしても、凸条により、浴槽や壁との間に流れ込むのが防がれる。
すなわち、汚れ水等の発生頻度が高く量も多い部分と、その他の部分との、二段に高低差を設けて防御しているから、より浴槽や壁との間に汚れ水等が流れ込むのが防止されるのである。
また、浴槽側の凸条とカウンター上面との間の排水溝によって、速やかに排水されるようになっている。
【００１０】
請求項２記載の浴室は、上記凸条の上部の壁側にコーキング代が設けられ、凸条と壁との間にコーキングが施されているから、壁とカウンターとの隙間がコーキングによりなくなり、汚れ水等が隙間に流れ込むのが完全に防止され、衛生的なものになる。
また、凸条とコーキング代によってコーキングが所定の幅で施されることになり、防水が確実になるとともに壁際の美観が優れたものになる。すなわち、凸条があるために、コーキング処理の際、コーキングが凸条よりはみ出すことがなく、はみ出したとしても、はみ出し部分を除去するのに、凸条に沿って容易に所定の幅に除去修正ができるのである。
【００１１】
【発明の実施の形態】
以下、本発明の実施の形態について図面を参照しながら詳細に説明する。図１は本発明の実施例である浴室の斜視図、図２は本発明の実施例のカウンター部分の断面図である。
【００１２】
図１において、１はＦＲＰ製の浴槽であり、大理石等からなる壁２１際に設置されている。
カウンター３は、ＦＲＰ等からなり、この浴槽１とタイル貼り等の洗い場４とに隣接して壁２１、２２際に設けられている。
カウンター上面は、上段カウンター上面３１と下段カウンター上面３２の二段になっており、上段カウンター上面３１の浴槽１側、壁２１及び壁２２側の側縁に沿って凸条３３が設けられている。
水栓が設けられる孔３２１、３２２の周囲から洗い場側が一段低くなされて下段カウンター上面３２になっている。下段カウンター上面３２は、洗い場４での水栓使用者が手を伸ばし易い範囲になっている。
【００１３】
カウンター上面は奥行きが最大で３６２ｍｍになっており、矢印のように傾斜されている。すなわち、上段カウンター上面はその両側が中央部に向かって下り傾斜しており、中央部は洗い場４に向かって１／１００の下り傾斜になっている。下段カウンター上面３２は全体が洗い場４に向かって１／１００の下り傾斜になっている。
上段カウンター上面３１と下段カウンター上面３２との段差は６．２ｍｍになっている。
【００１４】
浴槽１側の凸条３３と上段カウンター上面３１との間には深さ２ｍｍの排水溝３１１が設けられ、速やかに排水するようになっている。
【００１５】
凸条３３は、上段カウンター上面３１よりも３ｍｍ突出している。凸条３３の幅は４ｍｍになっており、凸条３３の上部の両縁は半径２ｍｍの曲面になっている。凸条３３とカウンター３の背面は、その凸条３側が垂直から洗い場４に向け若干傾斜されている。
この凸条３３の上部の壁２１、２２側の曲面と上記傾斜により、コーキング代が形成されている。
【００１６】
凸条３３の上端は壁２１際で浴槽１の上端と略等しくなっており、浴槽１に沿う洗い場４側の先端部では浴槽１の上端より若干低くなっている。
【００１７】
上記凸条３３のコーキング代には、図２に示すように、シリコーンコーキングからなるコーキング５が施されている。
コーキング５は、浴槽１と壁２１との間にも施されている。また、浴槽１と凸条３との間にも施してもよい。
【００１８】
この凸条３３とコーキング代によってコーキング５が所定の幅で施されることになり、防水が確実になるとともに壁２１、２２際の美観が優れたものになる。凸条３３があるために、コーキング処理の際、コーキング５が凸条３３よりはみ出すことがなく、また、はみ出したとしても、はみ出し部分をへら等で除去するのに、凸条３３に沿って容易に所定の幅に除去修正ができる
【００１９】
下段カウンター上面３２の孔３２１、３２２には水栓が取り付けられ、湯水を洗い場４で利用できるようにする。
【００２０】
上段カウンター上面３１は、入浴者が腰を乗せ、浴槽１内へ移乗して入浴するのに利用される。また、石けんやシャンプー、化粧品などの容器を置いて利用される。
下段カウンター上面３２は、石けんや小さな洗面器をおいて利用することができる。水栓を利用したり、石けん等を使うと、下段カウンター上面３２は汚れるが、この汚れ水等は洗い場４側に排出される。また、上段カウンター上面３１に達したとしても、凸条３３により返される。また、排水溝３１１により速やかに排出される。
【００２１】
また、浴槽１から湯水が溢れた場合、カウンター３にも湯水が流れようとするが、排水溝３１１により洗い場４に排出して、上段カウンター上面３１等へ流れ広がるのを緩和することができる。
【００２２】
この実施例の浴室は、浴室内の洗い場４と浴槽１に隣接して壁２１、２２際に設けられる上段カウンター上面３１の浴槽１側及び壁２１、２２側の側縁に沿って凸条３３が設けられ、水栓が設けられる部分の周囲から洗い場側の下段カウンター上面３２が一段低くなされているから、汚れ水等の発生頻度が高く量も多い水栓周囲の汚れ水等が、上段カウンター上面３１の浴槽１側や壁２１、２２側に上がらずに返されて洗い場４側に排出され、万一汚れ水等がそこまで達したとしても、凸条３３により防がれる。
【００２３】
すなわち、汚れ水等の発生頻度が高く量も多い下段カウンター上面３２部分と、その他の上段カウンター上面３１部分と、の二段に高低差を設けて防御しているから、より浴槽１や壁２１、２２との間に汚れ水等が流れ込むのが防止されるのである。
【００２４】
しかも、この実施例の浴室は、上記凸条３３の上部の壁２１、２２側にコーキング代が設けられ、凸条３３と壁２１、２２との間にコーキングが施されているから、壁２１、２２とカウンター３との隙間がコーキング５によりなくなり、汚れ水等が隙間に流れ込むのが完全に防止され、カウンター３下方に汚れが溜まることが防止され、衛生的なものになる。
【００２５】
以上、本発明の実施例を説明したが、本発明は上記実施例に限定されるものではなく、本発明の要旨を逸脱しない範囲の設計変更等があっても本発明に含まれる。例えば、上段カウンター上面や下段カウンター上面に、滑り止めのため、細かい凹凸を設けてもよい。
【００２６】
【発明の効果】
請求項１記載の浴室は、カウンター上面の浴槽側及び壁側の側縁に沿って凸条が設けられ、このカウンター上面の水栓が設けられる部分の周囲から洗い場側が一段低くなされているから、汚れ水等の発生頻度が高く量も多い水栓周囲の汚れ水等が、カウンター上面の浴槽側や壁側に上がらずに返されて洗い場側に排出され、万一汚れ水等がそこまで達したとしても、凸条により、浴槽や壁との間に流れ込むのが防がれ、すなわち、汚れ水等の流入が二段に防止され、きれいで衛生的になる。
また、この汚れ水は排水溝により速やかに排出される。さらに、浴槽から湯水が溢れた場合、カウンターにも湯水が流れようとするが、排水溝により洗い場に排出して、カウンター上面等へ流れ広がるのを緩和することができる。
【００２７】
請求項２記載の浴室は、上記凸条の上部の壁側にコーキング代が設けられ、凸条と壁との間にコーキングが施されているから、コーキングが確実になり、壁とカウンターとの隙間がコーキングによりなくなり、汚れ水等が隙間に流れ込むのが完全に防止され、衛生的なものになるとともに、壁際の美観が優れたものになる。
【図面の簡単な説明】
【図１】図１は本発明の実施例である浴室の斜視図である。
【図２】図２は本発明の実施例のカウンター部分の断面図である。
【符号の説明】
１    浴槽
２１、２２    壁
３    カウンター
３１    上段カウンター上面
３２    下段カウンター上面
３２１、３２２    水栓が設けられる孔
３３    凸条
４    洗い場
５    コーキング
【図１】
0003759840.tif 000002
【図２】
0003759840.tif 000003